【手続補正書】
【提出日】平成15年12月10日(2003.12.10)
【手続補正１】
【補正対象書類名】明細書
【補正対象項目名】特許請求の範囲
【補正方法】変更
【補正の内容】
【特許請求の範囲】
【請求項１】
所定の通信媒体を介して画像データの印刷と音声データの再生が可能な画像音声処理装置と通信可能な情報処理装置において、
前記画像音声処理装置に対して画像データを送信する際、前記画像データに対して音声データを付加する付加手段を有することを特徴とする情報処理装置。
【請求項２】
前記画像データとは異なるセパレートページを印刷するための画像データを生成する生成手段を設け、前記付加手段は、前記画像音声処理装置に対して画像データを送信する際、前記画像データに対して前記生成手段により生成されたセパレートページを印刷するための画像データと前記音声データを付加することを特徴とする請求項１記載の情報処理装置。
【請求項３】
前記画像データに付加する音声データを入力する音声入力手段と、
前記音声入力手段から入力される音声データを記憶する記憶手段と、前記画像音声処理装置に送信する画像データの印刷設定を前記画像音声処理装置に対して行う設定手段とを設け、
前記設定手段は、前記音声入力手段による前記画像データに付加する音声データの入力を指示する第１の指示手段と前記記憶手段に記憶されている音声データを前記画像データに付加する音声データとして指示する第２の指示手段とを有することを特徴とする請求項１又は２記載の情報処理装置。
【請求項４】
所定の通信媒体を介して画像データの印刷とテキストデータの音声再生が可能な画像音声処理装置と通信可能な情報処理装置において、
前記画像音声処理装置に対して前記画像データを送信する際、前記画像データに対して音声データに対応するテキストデータを付加する付加手段を有することを特徴とする情報処理装置。
【請求項５】
前記画像データとは異なるセパレートページを印刷するための画像データを生成する生成手段を設け、
前記付加手段は、前記画像音声処理装置に対して画像データを送信する際、前記画像データに対して前記生成手段により生成されたセパレートページを印刷するための画像データと前記音声データに対応するテキストデータを付加することを特徴とする請求項４記載の情報処理装置。
【請求項６】
音声データを入力する音声入力手段と、
前記音声入力手段により入力された音声データから前記画像データに付加する前記音声データに対応したテキストデータに変換する変換手段と、
前記画像音声処理装置に送信する画像データの印刷設定を前記画像音声処理装置に対して行う設定手段とを設け、
前記設定手段は、音声入力手段による音声入力を指示する第１の指示手段と、前記変換手段によるテキストデータ変換を指示する第２の指示手段とを有することを特徴とする請求項４又は５記載の情報処理装置。
【請求項７】
所定の通信媒体を介して情報処理装置から送信される画像データを印刷可能な画像音声処理装置において、
前記情報処理装置から画像データ及び該画像データに対して付加された音声データを受信した場合、前記音声データに対する識別情報を生成する第１の生成手段と、
前記識別情報を印刷するための前記画像データとは異なるセパレートページを生成する第２の生成手段と、を有することを特徴とする画像音声処理装置。
【請求項８】
所定の通信媒体を介して情報処理装置から送信される画像データを印刷可能な画像音声処理装置において、
前記情報処理装置から画像データ及び該画像データに対して付加された音声データを受信した場合、前記音声データに対する識別情報を生成する第１の生成手段と、
前記識別情報を前記画像データと合成する合成手段と、
を有することを特徴とする画像音声処理装置。
【請求項９】
前記印刷完了した識別情報に対応した音声を再生する音声再生手段を設けたことを特徴とする請求項７又は８記載の画像音声処理装置。
【請求項１０】
前記音声再生手段に対して音声再生を指示する指示手段を設けたことを特徴とする請求項９記載の画像音声処理装置。
【請求項１１】
前記音声データ及び該音声データに対応する識別情報を記憶する記憶手段と、
前記情報処理装置から画像データ及び該画像データに対して付加された音声データを受信した場合、前記画像データは印刷後に廃棄し、前記音声データ及び識別情報を前記記憶手段に記憶し続けるように制御する制御手段と、
を設けたことを特徴とする請求項７〜１０のいずれかに記載の画像音声処理装置。
【請求項１２】
前記記憶手段に記憶された音声データ及び識別情報を削除する削除手段を設けたことを特徴とする請求項１１記載の画像音声処理装置。
【請求項１３】
前記削除手段は、前記記憶手段に記憶された音声データ及び識別情報を、予め設定した時間，時刻に基づき自動削除することを特徴とする請求項１２記載の画像音声処理装置。
【請求項１４】
前記削除手段は、前記記憶手段に記憶された音声データ及び識別情報を、予め設定された最大記憶データ数に基づき自動削除することを特徴とする請求項１２又は１３記載の画像音声処理装置。
【請求項１５】
前記第１の生成手段は、前記音声データの受信順序，既に登録されている音声データに割り振られた識別情報に基づいてユニークな番号を前記識別情報として自動割り振りすることを特徴とする請求項７〜１４のいずれかに記載の画像音声処理装置。
【請求項１６】
所定の通信媒体を介して情報処理装置から送信される画像データを印刷可能な画像音声処理装置において、前記情報処理装置から画像データ及び該画像データに対して付加された音声データに対応するテキストデータを受信した場合、前記音声データに対応するテキストデータに対する識別情報を生成する第１の生成手段と、前記識別情報を印刷するための前記画像データとは異なるセパレートページを生成する第２の生成手段と、を有することを特徴とする画像音声処理装置。
【請求項１７】
所定の通信媒体を介して情報処理装置から送信される画像データを印刷可能な画像音声処理装置において、前記情報処理装置から画像データ及び該画像データに対して付加された音声データに対応するテキストデータを受信した場合、前記音声データに対応するテキストデータに対する識別情報を生成する第１の生成手段と、前記識別情報を前記画像データと合成する合成手段と、を有することを特徴とする画像音声処理装置。
【請求項１８】
前記印刷完了した識別情報に対応したテキストデータを音声データに変換し、該変換された音声データを再生する音声再生手段を設けたことを特徴とする請求項１６又は１７記載の画像音声処理装置。
【請求項１９】
前記音声再生手段に対して前記テキストデータの音声再生を指示する指示手段を設けたことを特徴とする請求項１８記載の画像音声処理装置。
【請求項２０】
前記音声データに対応するテキストデータ及び該テキストデータの識別情報を記憶する記憶手段と、
前記情報処理装置から画像データ及び該画像データに対して付加された音声データに対応するテキストデータを受信した場合、前記画像データは印刷後に廃棄し、前記音声データに対応するテキストデータ及び識別情報を前記記憶手段に記憶し続けるように制御する制御手段と、
を設けたことを特徴とする請求項１６〜１９のいずれかに記載の画像音声処理装置。
【請求項２１】
前記記憶手段に記憶された音声データに対応するテキストデータ及び識別情報を削除する削除手段を設けたことを特徴とする請求項２０記載の画像音声処理装置。
【請求項２２】
前記削除手段は、前記記憶手段に記憶された音声データに対応するテキストデータ及び識別情報を、予め設定した時間，時刻に基づき自動削除することを特徴とする請求項２１記載の画像音声処理装置。
【請求項２３】
前記削除手段は、前記記憶手段に記憶された音声データに対応するテキストデータ及び識別情報を、予め設定された最大記憶データ数に基づき自動削除することを特徴とする請求項２１又は２２記載の画像音声処理装置。
【請求項２４】
前記第１の生成手段は、前記音声データに対応するテキストデータの受信順序，既に登録されている音声データに対応するテキストデータに割り振られた識別情報に基づいてユニークな番号を前記識別情報として自動割り振りすることを特徴とする請求項１６〜２３のいずれかに記載の画像音声処理装置。
【請求項２５】
所定の通信媒体を介して画像データの印刷と音声データの再生が可能な画像音声処理装置と通信可能な情報処理装置の制御方法において、
前記画像音声処理装置に対して画像データを送信する際、前記画像データに対して音声データを付加する付加工程を有することを特徴とする情報処理装置の制御方法。
【請求項２６】
所定の通信媒体を介して画像データの印刷とテキストデータの音声再生が可能な画像音声処理装置と通信可能な情報処理装置の制御方法において、
前記画像音声処理装置に対して画像データを送信する際、前記画像データに対して音声データに対応するテキストデータを付加する付加工程を有することを特徴とする情報処理装置の制御方法。
【請求項２７】
所定の通信媒体を介して情報処理装置から送信される画像データを印刷可能な画像音声処理装置の制御方法において、
前記情報処理装置から画像データ及び該画像データに対して付加された音声データを受信した場合、前記音声データに対する識別情報を生成する第１の生成工程と、
前記識別情報を印刷するための前記画像データとは異なるセパレートページを生成する第２の生成工程と、を有することを特徴とする画像音声処理装置の制御方法。
【請求項２８】
前記印刷完了した識別情報に対応した音声を再生する音声再生工程を設けたことを特徴とする請求項２７記載の画像音声処理装置の制御方法。
【請求項２９】
所定の通信媒体を介して情報処理装置から送信される画像データを印刷可能な画像音声処理装置の制御方法において、
前記情報処理装置から画像データ及び該画像データに対して付加された音声データに対応するテキストデータを受信した場合、前記音声データに対応するテキストデータに対する識別情報を生成する第１の生成工程と、
前記識別情報を印刷するための前記画像データとは異なるセパレートページを生成する第２の生成工程と、
を有することを特徴とする画像音声処理装置の制御方法。
【請求項３０】
前記印刷完了した識別情報に対応したテキストデータを音声データに変換し、該変換された音声データを再生する音声再生工程を設けたことを特徴とする請求項２９記載の画像音声処理装置の制御方法。
【請求項３１】
請求項２５〜３０のいずれかに記載の方法を実現するためのコンピュータにより実行させるためのプログラムを記憶したコンピュータ可読の記憶媒体。
【手続補正２】
【補正対象書類名】明細書
【補正対象項目名】００３６
【補正方法】変更
【補正の内容】
【００３６】
本発明に係る第３１の発明は、第２５〜第３０の発明の方法を実行させるためのプログラムをコンピュータが読み取り可能な記憶媒体に格納したことを特徴とする。


【手続補正３】
【補正対象書類名】明細書
【補正対象項目名】００３７
【補正方法】削除
【補正の内容】
【手続補正４】
【補正対象書類名】明細書
【補正対象項目名】００３８
【補正方法】削除
【補正の内容】
【手続補正５】
【補正対象書類名】明細書
【補正対象項目名】００３９
【補正方法】削除
【補正の内容】
【手続補正６】
【補正対象書類名】明細書
【補正対象項目名】００４０
【補正方法】削除
【補正の内容】
【手続補正７】
【補正対象書類名】明細書
【補正対象項目名】００４１
【補正方法】削除
【補正の内容】
【手続補正８】
【補正対象書類名】明細書
【補正対象項目名】０３０３
【補正方法】変更
【補正の内容】
【０３０３】
第２５，３１の発明によれば、画像音声処理装置に対して画像データを送信する際、前記画像データに対して音声データを付加することにより、画像データに印刷結果の取り扱いを示す音声データを付加することで画像音声処理装置により排紙されたドキュメントの取り扱いをだれもが容易に認識することができる。


【手続補正９】
【補正対象書類名】明細書
【補正対象項目名】０３０４
【補正方法】変更
【補正の内容】
【０３０４】
第２６，３１の発明によれば、画像音声処理装置に対して画像データを送信する際、前記画像データに対して音声データに対応するテキストデータを付加することにより、画像データに印刷結果の取り扱いを示す音声データに対応するテキストデータを付加することで通信トラフィックへの負荷をかけることなく画像音声処理装置により排紙されたドキュメントの取り扱いをだれもが容易に認識することができる。


【手続補正１０】
【補正対象書類名】明細書
【補正対象項目名】０３０５
【補正方法】変更
【補正の内容】
【０３０５】
第２７，２８，３１の発明によれば、前記情報処理装置から画像データ及び該画像データに対して付加された音声データを受信した場合、前記音声データに対する識別情報を生成し、前記識別情報を印刷するための前記画像データとは異なるセパレートページを生成し、印刷完了した識別情報に対応した音声を再生するので、画像データに印刷結果の取り扱いを示す音声データにより印刷されたドキュメントの取り扱いをだれもが容易に認識することができる。


【手続補正１１】
【補正対象書類名】明細書
【補正対象項目名】０３０６
【補正方法】変更
【補正の内容】
【０３０６】
第２９，３０，３１の発明によれば、情報処理装置から画像データ及び該画像データに対して付加された音声データに対応するテキストデータを受信した場合、前記音声データに対応するテキストデータに対する識別情報を生成し、前記識別情報を印刷するための前記画像データとは異なるセパレートページを生成し、前記印刷完了した識別情報に対応したテキストデータを音声データに変換し、該変換された音声データを再生するので、画像データに印刷結果の取り扱いを示す音声データに対応するテキストデータにより通信トラフィックへの負荷をかけることなく画像音声処理装置により排紙されたドキュメントの取り扱いをだれもが容易に認識することができる。